(57)【要約】【課題】  この発明は、本や冊子などの厚みを有する板状物品を包装する包装装置の改良に関する。【解決手段】下面が横幅方向に広く開口された吹き出し口が形成された送風ヘッド部と、該送風ヘッド部に固定されて送風ヘッド部を保持する支持ロッドと、送風ヘッド部を機体本体の接近方向に付勢する付勢手段と、送風ヘッド部に固定されて包装袋を吊り下げるた袋保持ピンと、機体本体の前面に固定されて袋保持ピンに吊り下げられた包装袋の舌片部を送風ヘッド部との間で横幅方向に幅広く挟圧する受台部とを有してなることを特徴とする。【選択図】  図１
2008105708.tif 000002
【特許請求の範囲】
【請求項１】
エアー源から送風されるエアーの送風力で袋開口部を開いて、被包装物品を包装する包装装置において、
エアー源と接続されてエアーを導入すると共に、下面に吹き出し口が形成された送風ヘッド部と、
該送風ヘッド部に一端が固定されると共に、他端が機体本体に摺動可能に保持されて、上記送風ヘッド部を機体本体と接近ないし離間する方向に移動可能に保持する支持ロッドと、
前記送風ヘッド部を機体本体に接近する方向に付勢する付勢手段と、
前記送風ヘッド部に一端が固定され、送風ヘッド部が機体本体から離間すると他端が開いて包装袋を挿入可能な袋保持ピンと、
該袋保持ピンに吊持孔を通して吊り下げられる樹脂製フィルムの包装袋と、
機体本体の前面に形成されて、前記支持ロッドと袋保持ピンの突出端側を摺動可能に保持する受台部とからなっており、
上記袋保持ピンに吊り下げられた包装袋を前記付勢手段で付勢された送風ヘッド部と受台部との間で横幅方向に幅広く挟圧し、送風ヘッド部の吹き出し口からエアーを吐出して包装袋の開口部を幅広く開口して板状物品を挿入しうることを特徴とする包装装置。
【請求項２】
被包装物品が本や冊子などの厚みを有する板状物品からなっており、
送風ヘッド部が、下面に横幅方向に広く開口された吹き出し口を形成してなることを特徴とする請求項１に記載の包装装置。
【請求項３】
包装袋を前後で挟む送風ヘッド部の後壁面部と受台部の前壁面部とが略垂直面からなっていることを特徴とする請求項１または２に記載の包装装置。
【請求項４】
送風ヘッド部の前壁面部が略垂直面からなっており、板状物品を包装袋に挿入する際のガイド面に形成されていることを特徴とする請求項３に記載の包装装置。
【発明の詳細な説明】
【技術分野】
【０００１】
この発明は、本や冊子などの厚みを有する板状物品を包装する包装装置の改良に関する。
【背景技術】
【０００２】
本や冊子などの立ち読みを予防したり、汚れや損傷を防ぐために、小売店ではそれぞれ個別に本や冊子類を合成樹脂フィルムの包装袋に収納し、密封する必要があり、通常は、包装袋の開口縁を広げておき、その広げた開口の形を整えながら手作業で開口の中へ本や冊子類を挿入しているため、手間のかかる繁雑な作業となっている。
そこで、包装袋にエアーを吹き込んで包装袋の開口縁を自動的に広げる構成として、例えば特開平９−７７０２９号の包装機などが知られている。
しかし、この構成では、青果物などを収納するため包装袋はその開口を略筒状に広げており、筒型ホッパを挿入して青果物を包装袋の中に収納しているため、本や冊子類を挿入するには、従来と同様に広げた開口を手作業で矩形に整えてからでないと挿入することができなかった。
【特許文献１】特開平９−７７０２９号公報  図１１参照
【発明の開示】
【発明が解決しようとする課題】
【０００３】
この発明は上記実情に鑑みてなされたもので、その主たる課題は、送風ヘッド部で包装袋の開口の上部を横幅方向に幅広く押さえ、該送風ヘッド部の底部からエアーを吐出して包装袋の開口を略矩形状に広げることで、本や冊子などの厚みを有する板状物品をスムーズに包装袋の中に挿入することができる包装装置を提供することにある。
【課題を解決するための手段】
【０００４】
上記課題を解決するために、請求項１の発明では、
エアー源から送風されるエアーの送風力で袋開口部を開いて、被包装物品を包装する包装装置において、
エアー源と接続されてエアーを導入すると共に、下面に吹き出し口が形成された送風ヘッド部と、
該送風ヘッド部に一端が固定されると共に、他端が機体本体に摺動可能に保持されて、上記送風ヘッド部を機体本体と接近ないし離間する方向に移動可能に保持する支持ロッドと、
前記送風ヘッド部を機体本体に接近する方向に付勢する付勢手段と、
前記送風ヘッド部に一端が固定され、送風ヘッド部が機体本体から離間すると他端が開いて包装袋を挿入可能な袋保持ピンと、
該袋保持ピンに吊持孔を通して吊り下げられる樹脂製フィルムの包装袋と、
機体本体の前面に形成されて、前記支持ロッドと袋保持ピンの突出端側を摺動可能に保持する受台部とからなっており、
上記袋保持ピンに吊り下げられた包装袋を前記付勢手段で付勢された送風ヘッド部と受台部との間で横幅方向に幅広く挟圧し、送風ヘッド部の吹き出し口からエアーを吐出して包装袋の開口部を幅広く開口して板状物品を挿入しうることを特徴とする。
また、請求項２の発明では、
前記被包装物品が本や冊子などの厚みを有する板状物品からなっており、
送風ヘッド部が、下面に横幅方向に広く開口された吹き出し口を形成してなることを特徴とする。
更に、請求項３の発明では、
前記包装袋を前後で挟む送風ヘッド部の後壁面部と受台部の前壁面部とが略垂直面からなっていることを特徴とする。
また、請求項４の発明では、
前記送風ヘッド部の前壁面部が略垂直面からなっており、板状物品を包装袋に挿入する際のガイド面に形成されていることを特徴とする。
【発明の効果】
【０００５】
この発明は上記のように構成されているので、包装袋の舌片部は、送風ヘッド部と受台部の間で付勢手段の付勢力によって挟圧される。
そして、送風ヘッド部の下面に形成される吹き出し口から吐出されるエアーによって、包装袋の開口部を開口させることができ、被包装物品を上記開口から包装袋内に容易に挿入することができる。
また、被包装物品を挿入した包装袋は袋保持ピンから切り離されて次ぎの包装工程に進むが、送風ヘッド部は付勢手段によって機体本体側に付勢されているので、残りの包装袋は常にその舌片部が挟圧され規制された状態となっており、エアーの吐出によって、繰り返し次の包装袋の開口縁を横幅方向に広く開口させることができる。
また、被包装物品が本や冊子などの厚みを有する板状物品の場合には、送風ヘッド部が、下面に横幅方向に広く開口された吹き出し口を形成しているので、包装袋の舌片部は、送風ヘッド部と受台部の間で横幅方向に幅広く接触し、且つ付勢手段の付勢力によって挟圧される。
そして、上記吹き出し口から吐出されるエアーによって、包装袋の開口縁は横幅方向に広く開口させることができ、本や冊子類などの厚みを有する板状物品を上記開口から包装袋内に容易に挿入することができる。
【発明を実施するための最良の形態】
【０００６】
この発明では、送風ヘッド部と受台部とで包装袋を挟圧し、その開口部にエアーを吹き込んで開口部を横幅方向に広く開かせ、板状物品を挿入しやすくして、構成の簡易化と作業効率の向上を図っている。
以下に、この発明の包装装置を本や冊子などの包装装置に適用した場合の好適実施例について図面を参照しながら説明する。
【実施例１】
【０００７】
包装装置１は、エアー源から送風されるエアーの送風力で包装袋１０の開口部１１を開いて、本や冊子などの厚みを有する板状物品Ｂを包装する。
この包装装置１は、図１および図７〜８に示すようにスタンドＳに支持された機体本体２を有している。
【０００８】
［機体本体］
機体本体２は、上部に、付勢手段５を有する支持ロッド４と袋保持ピン６を有する送風ヘッド部３と、機体本体２に形成された受台部７とを有し、機体本体２の中途位置に包装袋１０への板状物品Ｂの収納をガイドする幅調整機構８を有し、その下方にシール部９Ａやシュリンク部９Ｂを設けた構成からなっている。
【０００９】
［送風ヘッド部］
送風ヘッド部３は、金属製で略ボックス形状、図示例では直方体の筐体からなっており、後述の包装袋１０の横幅の半分以上の長さの横幅を有している。
送風ヘッド部３は、その一例として、縦約１５ｃｍ、横約１２ｃｍ、厚み約１．５ｃｍの直方体からなっているが、この発明では上記寸法に限定されるものではない。
【００１０】
この送風ヘッド部３は、垂直に起立しており、機体本体２に内蔵されたエアー源としての送風機から送られたエアーをダクトＤを介して送風ヘッド部３の後壁面の上部に設けた導入口部３ｂから導入するようになっている。
また、送風ヘッド部３の下面は一部が横一連に開口してエアーの吹き出し口３０となっている。
【００１１】
本実施例の場合は、送風ヘッド部３の前壁面３１からほぼ中央まで直角に折れ曲がるカバー片部３２を有しており、中央から後壁面３３までの間が開口されて吹き出し口３０を構成している。なお、図中、３４は送風ヘッド部３の天壁面である（図２参照）。
【００１２】
［支持ロッド］
支持ロッド４は、前記送風ヘッド部３の後壁面３３に固定されて機体本体２側に延び、前記送風ヘッド部３を機体本体２と接近ないし離間する方向に摺動可能に支持する。
この支持ロッド４は、図示例の場合、機体本体２の前壁部２Ａに設けられた受台部７を貫通して機体本体２の前壁部２Ａの後方へ延びている。
【００１３】
前壁部２Ａにはその前後に、支持ロッド４を摺動可能に支持する筒状の軸受部２１が一体に形成されている。
そして、軸受部２１から突出する支持ロッド４の先端には大径の抜止め部４ａが一体に形成されている。
【００１４】
［付勢手段］
付勢手段は、本実施例の場合、上記軸受部２１と抜止め部４ａとの間の支持ロッド４に外嵌された圧縮状態のコイルスプリング５からなっており、前記支持ロッド４を介して送風ヘッド部３を機体本体２に接近する方向に付勢している。
この発明では、付勢手段は、バネ材などの公知の付勢手段を用いてもよく、要するに支持ロッド４を介して送風ヘッド部３を機体本体２に接近する方向に付勢するものであればよい。
【００１５】
［袋保持ピン］
袋保持ピン６は、本実施例の場合、前記送風ヘッド部３に固定されて機体本体２側に向かって延びており、前記支持ロッド４と連動して進退する。
ここで、袋保持ピン６は、所定の間隔を隔てて左右一対に設けられている。
【００１６】
この袋保持ピン６は、先端が機体本体２の前壁部２Ａに設けられた受台部７の孔部７ａに摺動可能に貫挿されており、送風ヘッド部３の進退動の障碍とならないようになっている。
また、図示例のように袋保持ピン６が長い場合は、前記支持ロッド４と同様に機体本体２の前壁部２Ａにも挿通用の孔２ａを設けて摺動可能としてもよい。
【００１７】
［包装袋］
包装袋１０は、本実施例の場合、正面１２と背面１３を重ねて上部に開口部１１を形成した袋状とした矩形の樹脂製フィルムからなっており、背面１３側となる一側が開口部１１より上方に延びて前記袋保持ピン６を通す吊持孔１４を有する舌片部１５となり、上記袋保持ピン６に吊り下げられる樹脂製フィルムからなる（図６参照）。
【００１８】
前記吊持孔１４は、前記袋保持ピン６の間隔に整合させて舌片部１５に左右一対に設けられている。
また、舌片部１５は、前記送風ヘッド部３の下部と衝合する長さに設定されており、開口部１１が送風ヘッド部３の吹き出し口１０の下方に配置されるようになっている。
【００１９】
［受台部］
受台部７は、機体本体２の前壁部２Ａの前方に固設されたボックス状の台部からなっており、正壁面部７１が扁平な垂直面に設定されており、前述のように支持ロッド４を摺動可能に軸支している。
また、受台部７は、袋保持ピン６の先端を出没可能に嵌挿させており、支持ロッド４の摺動に連動して袋保持ピン６も摺動可能に保持している。
【００２０】
［幅調整機構］
なお、包装装置１は、機体本体２の中途位置に、左右方向の横幅の間隔および底部の縦幅の位置を拡縮調整可能な幅調整機構８が設けられている。
この幅調整機構８は、機体本体２の前壁部２Ａに対して前方へ直角に突出して上下方向に延びる左右一対のサイドプレート８１と、該一対のサイドプレートの横幅を拡縮調整する横幅調整装置８２と、同様に前壁部２Ａに対して前方へ直角に突出して左右方向に延びるボトムプレート８３と、該ボトムプレートを上下方向に調整する縦幅調整装置８４からなっている。
【００２１】
この幅調整機構８により、前記袋保持ピン６に吊り下げられた包装用袋１０の左右両側と底部とをガイドしている。
そこで、包装袋１０に本や冊子などの板状物品Ｂを収納する際に、包装袋１０が左右に揺動したり、底が抜けたりするのを防いでいる。
【００２２】
［シール部・シュリンク部］
包装装置１の機体本体２の下部には、板状物品Ｂが収納された包装袋１０の開口部１１を溶断溶着するシール部９Ａと、シールされた包装袋を板状物品に真空密着させるシュリンク部９Ｂとが設けられている。
上記シール部９Ａとシュリンク部９Ｂとは横一連に設けられた公知の構成が用いられている（図７、８参照）。
【００２３】
［包装装置の使用方法］
上記構成からなっているので、まず、図２に示すように送風ヘッド部３を付勢力に抗して手前に引き出し、受台部７から抜け出た袋保持ピン６に複数の包装袋１０を、その吊持孔１４を通して保持させて、送風ヘッド部３を戻す。
送風ヘッド部３はコイルスプリング５のバネ力で機体本体２側に付勢され、これに伴って、包装袋１０の舌片部１５が送風ヘッド部３により受台部７との間で挟圧されて、包装袋１０が待機位置にセットされる。
【００２４】
次いで、図３に示すように、送風源からエアーが送風され送風ヘッド部３の吹き出し口３０からエアーが包装袋１０の開口部１１に向かって斜め下向きに吐出される。
これにより包装袋１０の開口部１１は吹き出し口３０の形状に沿って横幅方向に広く開く（図６（ｂ）参照）ので、本や冊子などの板状物品Ｂを開口部１１内にスムーズに挿入することができる（図４参照）。
【００２５】
包装袋１０内に本や冊子類を挿入すると、その自重により包装袋１０は吊持孔１４が切れて袋保持ピン６から落下し、落下しないものは下向きに引っ張って袋保持ピン６から分離して、次の包装工程であるシール部９Ａによる溶断溶接や、シュリンク部９Ｂによる真空密着工程に進む。
【００２６】
また、本や冊子類が挿入されて袋保持ピン６から包装袋１０が外れると、前記コイルスプリング５のバネ力で送風ヘッド部３が外れた袋１０の厚み分だけ受台部７側に接近し、次ぎの包装袋１０を同様に挟圧することができるので、送風ヘッド部３からのエアーの吐出によって前記と同様に横幅方向に広く包装袋１０の開口を広げることができる（図５参照）。
【００２７】
上記実施例では、送風ヘッド部３を垂直に起立させた構成を例示したが、この発明では、要するに送風ヘッド部３から吐出されるエアーが横幅方向に広く且つ包装袋１０の開口に対して斜め下向きに吐出されるものであればよく、図示例に限定されるものではない。
【００２８】
また、上記実施例は本や冊子などの包装装置に適用する場合について説明したが、この発明は上記物品に限らず、被包装物品の形状に応じて送付ヘッドの形状を適宜変更することができる。
その他、要するにこの発明の要旨を変更しない範囲で種々設計変更しうること勿論である。
【図面の簡単な説明】
【００２９】
【図１】実施例１の包装装置の機体本体の要部を示す側面図である。
【図２】包装袋を装着する状態を示す要部側面図である。
【図３】包装袋を保持してエアーを吹き出す状態の要部側面図である。
【図４】包装袋に板状物品を挿入する状態の要部側面図である。
【図５】１つの包装袋が取り外された状態の要部側面図である。
【図６】（ａ）は包装袋の正面図、（ｂ）は開口部が開いた状態の斜視図である。
【図７】包装装置の正面図である。
【図８】包装装置の側面図である。
【符号の説明】
【００３０】
１    包装装置
２    機体本体
２Ａ  前壁部
２ａ  孔
３    送風ヘッド部
３ｂ  導入口部
４    支持ロッド
５    コイルスプリング
６    袋保持ピン
７    受台部
８    幅調整機構
１０  包装袋
１１  開口部
３０  吹き出し口
Ｂ    板状物品
【図１】
2008105708.tif 000003
【図２】
2008105708.tif 000004
【図３】
2008105708.tif 000005
【図４】
2008105708.tif 000006
【図５】
2008105708.tif 000007
【図６】
2008105708.tif 000008
【図７】
2008105708.tif 000009
【図８】
2008105708.tif 000010
【手続補正書】
【提出日】平成18年11月2日(2006.11.2)
【手続補正１】
【補正対象書類名】図面
【補正対象項目名】図４
【補正方法】変更
【補正の内容】
【図４】
2008105708.tif 000011